(57)【特許請求の範囲】
【請求項１】
被検体の頭部に光を照射する複数の照射用光ファイバと、
前記頭部の内部を伝播した光を検出する複数の検出用光ファイバと、
前記複数の照射用光ファイバの先端部および前記複数の検出用光ファイバの先端部を保持し且つ前記頭部に固定される固定部材と、
前記複数の照射用光ファイバの先端部以外の部分および前記複数の検出用光ファイバの先端部以外の部分を、前記被検体の第１の部位に固定する第一の固定具と、
前記複数の照射用光ファイバの先端部以外の部分および前記複数の検出用光ファイバの先端部以外の部分を、前記被検体の第２の部位に固定する第二の固定具とを有することを特徴とする前記被検体頭部の血液動態変化を計測するための生体光計測装置。
【請求項２】
前記第二の固定具は前記被検体に装着する装着部材に固定されていることを特徴とする請求項１記載の生体光計測装置。
【請求項３】
前記第一の固定具および／または第二の固定具は突起状構造になっており、前記突起状構造に前記複数の照射用光ファイバの先端部以外の部分および前記複数の検出用光ファイバの先端部以外の部分をからめることで固定することを特徴とする請求項１記載の生体光計測装置。
【請求項４】
前記第二の固定具は前記被検体の肩部または背部または腰部または頭部に固定されることを特徴とする請求項１記載の生体光計測装置。
【請求項５】
前記複数の照射用光ファイバの先端部以外の部分および前記複数の検出用光ファイバの先端部以外の部分を前記固定部材に固定する第三の固定具を有することを特徴とする請求項１記載の生体光計測装置。
【請求項６】
前記第三の固定具は、前記複数の照射用光ファイバの先端部近傍および前記複数の検出用光ファイバの先端部近傍ごとにそれぞれ設けられていることを特徴とする請求項５記載の生体光計測装置。
【発明の詳細な説明】
【技術分野】
【０００１】
本発明は、光を用いて生体内部の情報を計測する装置に関する。
【背景技術】
【０００２】
生体内部の情報を、簡便で生体に害を与えずに計測する装置が、臨床医療や脳科学等の分野で用いられている。その中でも、特に光を用いた計測法は非常に有効な手段である。その第一の理由は、生体内部の酸素代謝機能は生体中の特定色素（ヘモグロビン、チトクロームａａ３、ミオグロビン等）の濃度に対応しており、これらの色素の濃度は、光の吸収量から求められるからである。また、光計測が有効である第二、第三の理由は、光は光ファイバにより扱いが簡便であり、さらに安全基準の範囲内での使用により生体に害を与えないことが挙げられる。【０００３】
このような光計測の利点を活かして、可視から赤外の波長の光を用いて生体内部を計測する生体光計測装置が、例えば、特許文献１もしくは特許文献２に記載されている。これらの文献に記載の生体光計測装置は、半導体レーザで光を発生させ、発生させた光を光ファイバで導いて被検体に照射し、生体内を透過あるいは反射してきた光を検出し、検出した光を光ファイバによってフォトダイオードまで導き、検出光量から血液循環、血行動態、ヘモグロビン変化などの生体情報を得ている。【０００４】
また、このような生体光計測を実現するために、被検体に光ファイバを接触させる生体光計測プローブが用いられている。これは、光を照射する光照射部と、生体内を透過あるいは反射してきた光を検出する光検出部と、前記光照射部と前記光検出部を格子状あるいは網目状に配列させて固定する固定部材とによって構成されている。また、この固定部材をバンドもしくはゴム紐もしくはヘアバンドなどを用いて光照射部と光検出部を被検体に接触させる形状になっている。この生体光計測プローブの例として、特許文献３などが挙げられる。また、通常光ファイバは複数あり、これら複数の光ファイバを束ねる構造を有する生体光計測プローブが、特許文献４、特許文献５、特許文献６、特許文献７、特許文献８、特許文献９などに記載されている。【０００５】
【特許文献１】特開平９−９８９７２号公報
【特許文献２】特開平９−１４９９０３号公報
【特許文献３】特開平８−１１７２０９号公報
【特許文献４】特開２００１−２８６４４９号公報
【特許文献５】特開２００２−１１０１２号公報
【特許文献６】特開２００３−３２２６１２号公報
【特許文献７】特開２００４−２０５４９３号公報
【特許文献８】特開２００４−２４８９６１号公報
【特許文献９】実開平５−９３４０３号公報
【発明の開示】
【発明が解決しようとする課題】
【０００６】
生体光計測においては、計測対象である被検体が無機物試料である場合と異なり、被検体が生体であるため、計測中に計測箇所を静止させることは困難である。被検体が動くと、被検体に接触させた計測プローブがずれたり離れたりすることがあり、正確に計測できないという問題が生じる。計測プローブのずれによる計測データの変化は、生体内の情報を反映した計測データに対しては、本来の目的からするとノイズの原因のひとつとなる。現実的には、計測中に被検体を完全に静止させることはできないため、計測データの信頼性を高めるためには、被検体の動きに対して頑健な計測プローブを備えた生体光計測装置が必要である。
【課題を解決するための手段】
【０００７】
上記課題を解決するためには、照射用および検出用光ファイバの先端を被検体に固定する固定部材上に、照射用および検出用光ファイバの先端部以外の部分をそれぞれ固定することにより、または、固定部材上および被検体上に光ファイバを固定することにより、または、被検体上の２箇所以上の位置に光ファイバを固定すればよい。具体的には以下の構成により、被検体の動きに対して頑健な生体光計測装置が実現できる。【０００８】
（１）被検体の頭部に光を照射する複数の照射用光ファイバと、前記頭部の内部を伝播した光を検出する複数の検出用光ファイバと、前記複数の照射用光ファイバの先端部および前記複数の検出用光ファイバの先端部を前記頭部に固定する固定部材と、前記複数の検出用光ファイバの先端部以外の部分および前記複数の検出用光ファイバの先端部以外の部分を前記固定部材に固定する複数の固定具とを有し、前記固定具は、前記複数の照射用光ファイバおよび前記複数の検出用光ファイバごとにそれぞれ設けられていることを特徴とする、前記被検体頭部の血液動態変化を計測するための生体光計測装置。【０００９】
（２）被検体の頭部に光を照射する複数の照射用光ファイバと、前記頭部の内部を伝播した光を検出する複数の検出用光ファイバと、前記複数の照射用光ファイバの先端部および前記複数の検出用光ファイバの先端部を前記頭部に固定する固定部材と、前記複数の検出用光ファイバの先端部以外の部分および前記複数の検出用光ファイバの先端部以外の部分を前記固定部材に固定する複数の第一の固定具と、前記複数の検出用光ファイバおよび前記複数の検出用光ファイバの先端部以外の部分を、前記被検体に固定する第二の固定具とを有することを特徴とする、前記被検体頭部の血液動態変化を計測するための生体光計測装置。【００１０】
（３）被検体の頭部に光を照射する複数の照射用光ファイバと、前記頭部の内部を伝播した光を検出する複数の検出用光ファイバと、前記複数の照射用光ファイバの先端部および前記複数の検出用光ファイバの先端部を前記頭部に固定する固定部材と、前記複数の検出用光ファイバおよび前記複数の検出用光ファイバの先端部以外の部分を、前記被検体の第１の部位に固定する第一の固定具と、前記複数の検出用光ファイバおよび前記複数の検出用光ファイバの先端部以外の部分を、前記被検体の第２の部位に固定する第二の固定具とを有することを特徴とする前記被検体頭部の血液動態変化を計測するための生体光計測装置。
【発明の効果】
【００１１】
本発明によれば、光を用いて生体内部の情報を計測する際に、被検体が動いても、ノイズが従来より少なく、生体内の情報をより反映した計測データを取得することができる。
【発明を実施するための最良の形態】
【００１２】
以下、本発明において、発明の実施の形態とともに図面を参照して詳細に説明する。
【実施例１】
【００１３】
まず、本発明による生体光計測装置の第一の実施の形態について説明する。図１は、本発明による生体光計測装置の装置構成を表す概略図である。生体光計測装置１００は、装置本体１０１に備えた情報処理部１０２によって制御され、装置本体１０１の背面にある図示しない発光部および図示しない受光部に接続された光ファイバ１０４の一端によって送光および受光し、被検体に装着された生体光計測プローブ１０３に固定された光ファイバ１０４の他端によって被検体に光を照射および検出することで、生体内部の情報を取得する。光ファイバ１０４を保護するために、光ファイバカバー１０４１で複数の光ファイバ１０４を保護してもよい。また取り扱いやすいように、光ファイバ１０４または光ファイバカバー１０４１を、装置本体１０１に固定されたアーム１０５につるしても良い。情報処理部１０２に接続されたキーボード１０２２およびマウス１０２３などの入力装置やモニタなどの表示装置１０２４は、操作者が生体光計測装置１００を操作および制御をすることを可能にし、表示装置１０２４は被検体の生体内部を計測した結果や、操作者が操作および制御するために必要な情報を表示する。生体光計測プローブ１０３は、被検体に装着するための固定部材１０３３と固定バンド１０３１、および光ファイバ１０４の先端を固定部材１０３３に固定する光ファイバ固定用ソケット１０３２とを備え、さらに被検体の動きに伴って計測信号に乗るノイズを抑えるために光ファイバ１０４を固定部材１０３３に固定する固定具３００を備える。【００１４】
図２に、生体光計測プローブ１０３の詳細を示しながら、固定具３００について述べる。各光ファイバ固定用ソケット１０３２の近傍で、各光ファイバ１０４は、固定具３００の一例である固定具３０１１によって固定部材１０３３に固定されている。固定具３０１１は粘着テープなどの粘着性部材としてもよく、図３に示すように、光ファイバ１０４を光ファイバ固定用ソケット１０３２の近傍に固定することができる。また、固定具３０１１に代えて、布やプラスチックや紙などに面ファスナー３０８ａを接着または縫合した固定具３０１２を用いた例を図４に示す。あらかじめ固定部材１０３３に接着あるいは縫合された面ファスナー３０８ｂに、固定具３０１２に接着あるいは縫合された面ファスナー３０８ａを貼り合わせることにより、光ファイバ１０４を光ファイバ固定用ソケット１０３２の近傍に固定することができる。【００１５】
上述の固定具３０１１および固定具３０１２の効果は、次の評価法によって確かめられた。図２０に示すように、人形頭部７０２を備えた評価装置７０１を作製した。人形頭部７０２は、運動方向７０１１に運動可能である。評価装置７０１は、図２１のように人形頭部７０２に生体光計測プローブ１０３を装着し、被検体である人形頭部７０２の動きに対する頑健さを評価可能である。図２１は、固定具３０１１および固定具３０１２を具備していない生体光計測プローブ１０３を人形頭部７０２に装着した例であり、この条件で人形頭部７０２を運動させた時の計測データを図２５に示す。人形頭部７０２は、計測開始後２０−３０秒、６０−７０秒の間に運動しており、運動に伴い計測データが大きく変化していることがわかる。一方で図２２は、本発明による固定具３０１１を具備した生体光計測プローブ１０３を人形頭部７０２に装着した例であり、図２１と同一の計測条件で人形頭部７０２を運動させた時の計測データを図２６に示す。固定具３０１１を具備することにより、被検体の動きに伴って生じる計測ノイズを大幅に低減させるという効果が得られた。
【実施例２】
【００１６】
図５は、固定具３００の一例である固定具３０２を示したものである。固定具３０２は、固定具３０１１または固定具３０１２を光ファイバ１本毎に設けるのではなく、例えば３×３配列の一列を成す３本の光ファイバを１個の固定具で固定できるようにしたものである。この例において、固定具３０２と固定部材１０３３とは、固定具３０２の両端部並びに各光ファイバの中間で固定結合されるようになっている。本実施例によれば、複数の光ファイバを同時に押さえつけることができ、かつ固定具３０１１および固定具３０１２と同様の効果が得られる。
【実施例３】
【００１７】
図６および図７は、固定具３０１１および固定具３０１２の別の実施の形態を示したものである。図６および図７に示すように、本実施例は近接した複数の光ファイバ固定用ソケット１０３２に固定された複数の光ファイバ１０４を、固定具３０１１または固定具３０１２によって１箇所で固定部材１０３３に固定するものである。本実施例において、光ファイバ１０４の硬さや固定部材１０３３の形状に合わせて、また、被検体の姿勢や計測の都合に合わせて、固定具による固定箇所を任意に設定することが可能である。
【実施例４】
【００１８】
図８および図９は、固定具３００の一例である固定具３０３を示したものである。固定具３０３は、弾性を有したプラスチックなどの固形素材、あるいは固定部材１０３３と同一の素材などを用いて形成されたもので、固定部材１０３３にその一端が固定あるいは接着されており、その他端に爪状のフックが形成され、このフックと固定部材１０３３との間に間隙がある。光ファイバ１０４をこの間隙から押し込むことにより、固定具３０３の弾性を利用して固定部材１０３３に光ファイバを固定することが可能であり、固定具３０１１および固定具３０１２と同様の効果が得られる。
【実施例５】
【００１９】
図１０において、１０３４はジェルなどによる固定部材であり、被検体の接触感に優れた固定部材である。この固定部材１０３４は、光ファイバ１０４を内部の溝に這わせてある。固定部材１０３４に対しては、セパレート型固定具３０４によって光ファイバ１０４を固定することができる。セパレート型固定具３０４の上部３０４ａの溝にはまった光ファイバ１０４を下部３０４ｂで押さえるとともに、セパレート型固定具３０４を固定部材１０３４に固定する。これにより、固定具３０１１および固定具３０１２と同様の効果が得られる。
【実施例６】
【００２０】
次に、本発明による生体光計測装置の第二の実施の形態について説明する。図１１は、光ファイバを、生体光計測プローブの固定部材に固定する複数の第一の固定具と、被検体に固定する第二の固定具とにより固定する一例を示したものである。第一の固定具は、前記第一の実施の形態において詳細に説明した、固定具３０１１、固定具３０１２、固定具３０２、固定具３０３、固定具３０４、などで良く、代表して第一の固定具３００とする。被検体５２０の頭部に固定バンド１０３１によって固定部材１０３３が固定され、この固定部材１０３３に第一の固定具３００によって光ファイバ１０４が固定されている。光ファイバ１０４は、被検体５２０の肩で第二の固定具５００によっても固定されている点が本実施の形態の特徴である。第二の固定具５００は被検体５２０の肩に巻かれた固定具用バンド５０７などの装着部材に固定してもよい。【００２１】
図１２により、第二の固定具５００を固定具５０１と固定具用バンド５０７とによって構成した例について説明する。固定具用バンド５０７は布や紙など被検体５２０に巻き付けやすい素材でできており、その両端に面ファスナー５０８が接着あるいは縫合されており、固定用バンド５０７を被検体５２０の肩部へ巻き付けて、面ファスナー５０８によって被検体５２０に固定する。固定具５０１は布または紙またはプラスチックなど素材によるもので、図４に示した固定具３０１２と同様に面ファスナー等で光ファイバを固定具用バンド５０７に固定することが可能である。【００２２】
この第一の固定具３００と固定具５０１の効果は、次の評価によって確かめられた。図２４に示すように、評価装置７０１の人形頭部７０２に生体光計測プローブ１０３を装着し、第一の固定具３００の一例である固定具３０１１によって固定部材１０３３に光ファイバ１０４を固定し、さらに固定具５０１によって肩に相当する評価装置本体７０８の位置に光ファイバ１０４を固定した条件で、実施例１と同様に評価すると、図３０に示すような安定した結果が得られた。同様に、第一の固定具３０１１を使用せず、固定具５０１のみを用いた場合で評価すると、図２８の結果が得られた。第一の固定具と第二の固定具を使用することにより、被検体の動きに伴って生じる計測ノイズを大幅に低減させるという効果が得られた事がわかる。
【実施例７】
【００２３】
図１３は、第二の固定具５００を固定具５０２と固定用バンド５０７で構成した他の例を示したものである。プラスチックなどの硬い素材からなる固定具５０２には、固定用バンド５０７へ接する面に対向する面側に突起５０２ａと窪み５０２ｂが形成され、固定具５０２は固定具用バンド５０７に接着または縫合されて固定されている。図１４のように、光ファイバ１０４を固定具５０２の突起５０２ａにからめることで、光ファイバを動きにくく確実に固定することができる。図１５は、図１３の見る角度を変えて示した図である。固定具５０２は、固定具５０１と同様の効果が得られた。
【実施例８】
【００２４】
図１６は、生体光計測プローブ１０３の固定部材１０３３に光ファイバ１０４を第一の固定具３００で固定し、固定具用バンド５０７を被検体５２０の胸部に固定し、光ファイバ１０４を固定具５０１又は５０２によって被検体５２０の背部に固定した例である。また、図１７は、固定具用バンド５０７を被検体の腹部に固定し、光ファイバ１０４を固定具５０１又は５０２によって被検体５２０の腰部に固定した例である。図１８は、固定具用バンド５０７を被検体の肩部および腹部に固定し、光ファイバ１０４を固定具５０１又は５０２によって被検体５２０の肩部および腰部に固定した例である。図１６、図１７、図１８のいずれも、前記実施例６と同様の効果が得られた。
【実施例９】
【００２５】
図１９は、生体光計測プローブ１０３の固定部材１０３３に光ファイバ１０４を第一の固定具３００（３０１１又は３０２、３０３等）で固定し、固定バンド１０３１上に固定具５０１又は５０２を具備させて光ファイバ１０４を固定し、さらに肩および腰部に巻きつけた固定バンドと固定具５０１又は５０２によって光ファイバを固定した例である。【００２６】
頭部に巻き付けられた固定バンド１０３１に具備した固定具５０１又は５０２の効果は、次のように確かめられた。図２３に示すように、評価装置７０１の人形頭部７０２に生体光計測プローブ１０３を装着し、固定具３０１１によって固定部材１０３３に光ファイバ１０４を固定し、さらに固定具５０１によって固定バンド１０３１上に光ファイバ１０４を固定した条件で、実施例１と同様に評価すると、図２９に示すような安定した結果が得られた。また、図２３において第一の固定具３０１１を使用せずに固定具５０１のみを使用した条件では、図２７のような結果が得られた。図２５と比較し、光ファイバ１０４を固定具５０１によって固定バンド１０３１に固定しただけでも効果が見られるが、第一の固定具と第二の固定具を合わせて使用する事により、図２９のように安定した結果が得られた。
【実施例１０】
【００２７】
次に、本発明による生体光計測装置の第三の実施の形態について説明する。図３３に示すように、固定部材１０３３に対する固定具３０１１を用いず、固定バンド１０３１と固定具５０１とにより被検体頭部で、固定バンド５０７と固定具５０１により被検体の肩に相当する位置で光ファイバ１０４を固定する。すなわち被検体の２箇所以上の箇所で光ファイバを固定する。図３３に示す条件では、図３１のような結果が得られた。非常に安定した結果が得られており、人形頭部の運動に伴うノイズは全く見られない。【００２８】
また、評価装置７０１の人形頭部７０２に生体光計測プローブ１０３を装着し、固定具３０１１によって固定部材１０３３に光ファイバ１０４を固定し、固定具５０１によって固定バンド１０３１に光ファイバ１０４を固定し、さらに評価装置本体７０８の肩に相当する位置に固定具５０１によって光ファイバを固定した条件で、実施例１と同様に評価すると、図３２の結果が得られた。図１９のように、固定部材１０３３および被検体５２０の２以上の箇所で光ファイバ１０４を固定した固定具は、被検体５２０の動きに影響されにくい結果を得るという効果があることがわかる。
【産業上の利用可能性】
【００２９】
本発明による生体光計測装置は、計測対象である被検体を拘束することなく、自由な姿勢で計測する事ができ、かつ計測信号に被検体の体の動きによるノイズが混入する事を抑えることが可能であり、また大掛かりな装置を必要としないため、多くの医療機関や福祉施設、研究施設などで利用される可能性がある。
【図面の簡単な説明】
【００３０】
【図１】本発明が適用される生体光計測装置の全体概要を示す図。
【図２】本発明による第一の実施の形態を示す図。
【図３】図２の一部である固定具の詳細を示す図。
【図４】図２の一部である固定具の詳細を示す図。
【図５】図１の一部である生体光計測プローブの別の形態を示す図。
【図６】図１の一部である生体光計測プローブの別の形態を示す図。
【図７】図１の一部である生体光計測プローブの別の形態を示す図。
【図８】図１の一部である生体光計測プローブの別の形態を示す図。
【図９】図８の一部である固定具の詳細を示す図。
【図１０】図１の一部である生体光計測プローブの別の形態を示す図。
【図１１】本発明による第二の実施の形態を示す図。
【図１２】図１１の一部である固定具および固定具用バンドの詳細を示す図。
【図１３】図１１の一部である固定具および固定具用バンドの別の形態を示す図。
【図１４】図１３に示した固定具の詳細を示す図。
【図１５】図１３に示した固定具の詳細を示す図。
【図１６】図１１に示した実施の形態の別の例を示す図。
【図１７】図１１に示した実施の形態の別の例を示す図。
【図１８】図１１に示した実施の形態の別の例を示す図。
【図１９】図１１に示した実施の形態の別の例を示す図。
【図２０】評価装置を示した図。
【図２１】評価装置に生体光計測プローブを装着した図。
【図２２】図２１の生体光計測プローブの固定部材に固定具で光ファイバを固定した状態を示した図。
【図２３】図２１の生体光計測プローブの固定部材と固定バンド（評価装置の頭部）に固定具で光ファイバを固定した図。
【図２４】図２１の評価装置の肩部に固定具で光ファイバを固定した図。
【図２５】図２１の条件で体動ノイズ評価装置を動かした時の評価結果。
【図２６】図２２の条件で体動ノイズ評価装置を動かした時の評価結果。
【図２７】図２３の条件で体動ノイズ評価装置を動かした時の評価結果。
【図２８】図２４の条件で体動ノイズ評価装置を動かした時の評価結果。
【図２９】図２２の条件と図２３の条件を組み合わせ、かつ固定部材上の固定具を使用しなかった条件で評価装置を動かした時の評価結果。
【図３０】図２２の条件と図２４の条件を組み合わせ、かつ固定部材上の固定具を使用しなかった条件で評価装置を動かした時の評価結果。
【図３１】図２３の条件と図２４の条件を組み合わせ、かつ固定部材上の固定具を使用しなかった条件で評価装置を動かした時の評価結果。
【図３２】図２２の条件と図２３の条件と図２４の条件を組み合わせた条件で評価装置を動かした時の評価結果。
【図３３】図２１の生体光計測プローブの固定バンド（評価装置の頭部）と評価装置の肩部に固定具で光ファイバを固定した図。
【符号の説明】
【００３１】
1００：生体光計測装置、１０１：装置本体、１０２：情報処理装置、１０２２：キーボード、１０２３：マウス、１０２４：表示装置、１０３：生体光計測プローブ、１０３１：固定バンド、１０３２：光ファイバ固定用ソケット、１０３３：固定部材、１０３４：ジェルなどによる固定部材、１０４：光ファイバ、１０４１：光ファイバカバー、１０５：アーム、３００：固定具、３０１１：固定具、３０１２：固定具、３０２：固定具、３０３：固定具、３０４：固定具、３０４ａ：固定具上部、３０４ｂ：固定具下部、３０８ａ：面ファスナー、３０８ｂ：面ファスナー、５００：第二の固定具、５０１：第二の固定具、５０２：第二の固定具、５０７：固定具用バンド、５０８：面ファスナー、５２０：被検体、７０１：評価装置、７０１１：人形頭部の運動方向、７０２：人形頭部、７０８：評価装置本体。
【図１】
0004646980.tif 000002
【図２】
0004646980.tif 000003
【図３】
0004646980.tif 000004
【図４】
0004646980.tif 000005
【図５】
0004646980.tif 000006
【図６】
0004646980.tif 000007
【図７】
0004646980.tif 000008
【図８】
0004646980.tif 000009
【図９】
0004646980.tif 000010
【図１０】
0004646980.tif 000011
【図１１】
0004646980.tif 000012
【図１２】
0004646980.tif 000013
【図１３】
0004646980.tif 000014
【図１４】
0004646980.tif 000015
【図１５】
0004646980.tif 000016
【図１６】
0004646980.tif 000017
【図１７】
0004646980.tif 000018
【図１８】
0004646980.tif 000019
【図１９】
0004646980.tif 000020
【図２０】
0004646980.tif 000021
【図２１】
0004646980.tif 000022
【図２２】
0004646980.tif 000023
【図２３】
0004646980.tif 000024
【図２４】
0004646980.tif 000025
【図２５】
0004646980.tif 000026
【図２６】
0004646980.tif 000027
【図２７】
0004646980.tif 000028
【図２８】
0004646980.tif 000029
【図２９】
0004646980.tif 000030
【図３０】
0004646980.tif 000031
【図３１】
0004646980.tif 000032
【図３２】
0004646980.tif 000033
【図３３】
0004646980.tif 000034